(57)【要約】【課題】  車載ケース１の取り付け取り外しが容易で、美観を向上することのできる車載ケース保持装置４を提供する。【解決手段】  車載ケース保持装置４は、車両の座席５に設置されたチャイルドシート固定部材17に、小動物又は物品を収容する車載ケース１を連結して保持する支持部材16を備える。支持部材16は前記チャイルドシート固定部材17と前記車載ケース１とに着脱自在に構成される。支持部材16は柔軟性を有する帯状体で構成され、前記帯状部材の一端に前記車載ケース１と連結する連結受部27を備え、他端に前記固定部材に締結する締結部を備える。【選択図】図１
2006333753.tif 000002
【特許請求の範囲】
【請求項１】
車両の座席に設置されたチャイルドシート固定部材に、小動物又は物品を収容する車載ケースを連結して保持する車載ケース保持装置であって、前記チャイルドシート固定部材と前記車載ケースとに着脱自在の支持部材により、前記チャイルドシート固定部材と前記車載ケースとを連結して前記車載ケースを保持することを特徴とする車載ケース保持装置。
【請求項２】
前記支持部材は柔軟性を有する帯状体で構成され、前記帯状体の一端に前記車載ケースと連結する連結受部を備え、他端に前記チャイルドシート固定部材に締結する締結部材を備えることを特徴とする請求項１記載の車載ケース保持装置。
【請求項３】
前記支持部材は一端に前記車載ケースと連結する連結受部を備え、前記車載ケースは外周を覆う補強部材を有し、前記補強部材は前記連結受部と連結する連結部を備えることを特徴とする請求項１記載の車載ケース保持装置。
【請求項４】
前記車載ケースは、底面部と側面部とが平面状に展開可能に構成され、前記底面部の少なくとも一方に複数の側面部を一体的に設けることを特徴とする請求項１記載の車載ケース保持装置。
【請求項５】
前記支持部材は、前記車載ケースと連結する連結受部を備え、前記連結受部と連結する連結部を前記車載ケースに設けることを特徴とする請求項１記載の車載ケース保持装置。
【発明の詳細な説明】
【技術分野】
【０００１】
本発明は、小動物又は物品を収容する車載ケースを車両の座席に保持する車載ケース保持装置に関するものである。
【背景技術】
【０００２】
従来、小動物、例えば犬や猫等のペットを車両に乗せる場合には、車内の汚れを防止するための敷物等を装着して、敷物の上にペットを乗せるなどしていたが、車内に敷物を装着する作業が煩雑であった。このような問題を解決するものとして、ペットを収容する展開、組立可能な収容体と、収容体の底面及び側面同士を互いに固定する着脱部材と、着脱部材による固定が解除されることを抑止する固定補助部材と、ペットを収容体内に係留する係留部材と、収容体を座席上に固定する固定部材とを有するペット用車載ケースが開示されている（例えば特許文献１）。
【特許文献１】特開２００２−１５９２３８号公報
【発明の開示】
【発明が解決しようとする課題】
【０００３】
しかしながら、上記した特許文献においては、固定部材が、座席の頭部へ掛け回される第１のベルト部材と、座席の背部に掛け回される第２のベルト部材とからなり、それぞれのベルト部材を座席に掛け回して緊張させることによって収容体を座席に密着固定するものであるので、ペット用車載ケースをワンタッチで座席に取り付け取り外しできるものではなかった。また、固定部材が露出するため、美観を損なうという懸念があった。
【０００４】
そこで、本発明は上記した問題点に鑑み、車載ケースの取り付け取り外しが容易で、美観を向上することのできる車載ケース保持装置を提供することを目的とする。
【課題を解決するための手段】
【０００５】
上記目的を達成するために、請求項１に係る発明は、車両の座席に設置されたチャイルドシート固定部材に、小動物又は物品を収容する車載ケースを連結して保持する車載ケース保持装置において、前記チャイルドシート固定部材と前記車載ケースとに着脱自在の支持部材により、前記チャイルドシート固定部材と前記車載ケースとを連結して前記車載ケースを保持することを特徴とする。
【０００６】
また、請求項２に係る発明は、請求項１において、前記支持部材は柔軟性を有する帯状体で構成され、前記帯状体の一端に前記車載ケースと連結する連結受部を備え、他端に前記チャイルドシート固定部材に締結する締結部材を備えることを特徴とする。
【０００７】
また、請求項３に係る発明は、請求項１において、前記支持部材は一端に前記車載ケースと連結する連結受部を備え、前記車載ケースは外周を覆う補強部材を有し、前記補強部材は前記連結受部と連結する連結部を備えることを特徴とする。
【０００８】
また、請求項４に係る発明は、請求項１において、前記車載ケースは、底面部と側面部とが平面状に展開可能に構成され、前記底面部の少なくとも一方に複数の側面部を一体的に設けることを特徴とする。
【０００９】
また、請求項５に係る発明は、請求項１において、前記支持部材は、前記車載ケースと連結する連結受部を備え、前記連結受部と連結する連結部を前記車載ケースに設けることを特徴とする。
【発明の効果】
【００１０】
本発明の請求項１に記載の車載ケース保持装置によれば、支持部材を介してチャイルドシート固定部材に車載ケースを連結するから、車載ケース側で着脱ができるため、車載ケースを容易に着脱できる。また、支持部材は車載ケースに対し着脱できるため、車載ケースを持ち運ぶ際、支持部材を取り外しておくことによって、美観を向上することができる。
【００１１】
また、請求項２に記載の車載ケース保持装置によれば、支持部材は柔軟性を有する帯状体で構成されていることにより、チャイルドシート固定部材に支持部材を締結した状態でも支持部材を脇へ除けておくことができるので、違和感なく乗員が着座することができる。
【００１２】
また、請求項３に記載の車載ケース保持装置によれば、補強部材で車載ケースの外周を覆うので、より確実に車載ケースを保持することができる。
【００１３】
また、請求項４に記載の車載ケース保持装置によれば、車載ケースが展開可能に構成されていることにより成形が容易となる。また、底面部の少なくとも一方に複数の側面部を設けることとしたことにより、剛性を向上でき、形状を安定的に保持することができる。
【００１４】
また、請求項５に記載の車載ケース保持装置によれば、連結部を車載ケースに設けることにより、急ブレーキなどによる前方向の負荷と、支持部材に生じた反力によって車載ケースが前後方向に圧縮されることがないので、車載ケースの変形を防止することができる。
【発明を実施するための最良の形態】
【００１５】
以下図面を参照して、本発明の第１実施例について説明する。
【００１６】
図１に示す車載ケース１は、ケース本体２と収納部材３とを備え、車載ケース保持装置４によって座席５に固定される。
【００１７】
ケース本体２は、底面部６と側面部７と上面部12とを備えたナイロン製の手提げカバン状のものであって、側面部７は、前側面部８と後側面部９と右側面部10と左側面部11とからなり、少なくとも前側面部８と前記上面部12とは、メッシュ状の通気性を有する生地で構成されている。前記側面部７には、挿通孔13と、ループ部材14とが設けられている。挿通孔13は、ケース本体２の幅方向に開口し、前側面部８の表面の上側及び下側にそれぞれ設けられている。また、ループ部材14は、ケース本体２の前後方向に開口し、右側面部10及び左側面部11の後方下部に設けられており、下面には図示しないがベルベットクロス式ファスナが備えられている。このケース本体２の前方には補強部材15が掛け回されている。
【００１８】
ケース本体２は、座席５にケース本体２を連結する支持部材16と、ケース本体２を補強する補強部材15とにより、座席５に保持される。
【００１９】
支持部材16は、ケース本体２を座席５に設置されたチャイルドシート固定部材17に連結すると共に、ケース本体２及びチャイルドシート固定部材17に着脱自在に構成される。チャイルドシート固定部材17は、いわゆるＩＳＯ  ＦＩＸ方式に対応した固定構造であって、座席５の背部5Aと座部5Bとの接合部に設けられたコ字状の金具で構成される。
【００２０】
補強部材15は、リング状に形成されたベルトを二つ折りにし、重なった一方の補強部材15をケース本体２の前方上側に掛け回し、他方の補強部材15をケース本体２の前方下側に掛け回している。ケース本体２の前方に掛け回された補強部材15は、前側面部８の表面に設けられた挿通孔13に挿通されると共に、挿通孔13と共にケース本体２に縫合され前側面部８と一体化される。補強部材15の両端となる折返し部15Aには、連結部18が設けられる。連結部18はケース本体２の後方に引き回され、ケース本体２側面の下部に設けられたループ部材14に挿入される。
【００２１】
次に、ケース本体２の展開図である図２を参照してケース本体２の構成についてさらに詳述する。図２において、矩形部分6Aはケース本体２の底面部６を構成し、その部分6Aの各長縁部に連続する部分10A,11Aは、ケース本体２の右側面部10及び左側面部11となる。この部分10A,11Aにはケース本体２を手提げ可能とする把手20がそれぞれ設けられている。また、部分6Aの短縁部の一方に連続する部分9A,12A,8Aは、ケース本体２の後側面部９、上面部12、前側面部８を構成する。上面部12には、開閉自在に蓋部21が設けられている。蓋部21には外周に蓋用ファスナ22が設けられており、これにより上面部12に対し開閉自在に構成されている。このように構成された各部分の外周には組立用ファスナ23が設けられ、これらの部分8A,9A,10A,11A,12Aは折返し線Ｌで約９０度折り曲げられ、組立用ファスナ23で接合される。
【００２２】
次に、支持部材16の構成について図３を参照して説明する。支持部材16は図３に示すように、柔軟性を有する帯状であって、一端に前記補強部材15に設けられた連結部18と連結する連結受部27を有し、他端に前記チャイルドシート固定部材17に締結する締結部材28を備える。
【００２３】
連結受部27は連結孔29と解除ボタン30とを備える。連結孔29に連結部18を挿入することによって連結部18と連結受部27が連結される。また、解除ボタン30を押下することによって連結を解除することができる。連結受部27は帯状体31で連結金具33と繋がれている。連結金具33は日の字形の部材からなり、外枠34と外枠34に横架された横杆35とを有し、外枠34の一方に前記連結受部27が接続されている。
【００２４】
締結部材28は帯状体36の一端に設けられた前記チャイルドシート固定部材17に係止する係止片37と、他端に設けられた枠体38とを備え、他端36Aにおいて前記連結金具33を介して連結受部27に接続される。
【００２５】
支持部材16をチャイルドシート固定部材17に固定する方法について説明する。まず、締結部材28の帯状体36の他端36Aをチャイルドシート固定部材17に挿通する。他端36Aをチャイルドシート固定部材17に挿通すると、帯状体36の一端に設けた係止片37がチャイルドシート固定部材17に係止する。これにより締結部材28をチャイルドシート固定部材17に固定することができる。次いで、締結部材28の帯状体36の他端36Aを前記連結金具33に設けられた横杆35に掛け回し、他端36Aを枠体38に挿入する。これにより締結部材28を連結受部27に接続することができる。尚、枠体38に挿通された帯状体36の他端36Aの引き出し長さを調節することにより、支持部材16の長さを調節することができる。上記のようにして支持部材16をチャイルドシート固定部材17に固定することができる。また、連結金具33にカバー体39を設けてもよい。連結金具33にカバー体39を設けることにより、美観を向上すると共に、帯状体36を保護することができるので、支持部材16の耐久性を向上できる。
【００２６】
次に図４を参照して収納部材３の構成について説明する。収納部材３は、ケース本体２と同様の素材で形成された薄型の袋体であり、ケース本体２の側面部７に着脱自在に設けられる。収納部材３は袋体を開閉する開閉ファスナ41と、ケース本体２に当接する内側に設けられた前記補強部材15を挿通する挿通壁42と、同じく内側に設けられた貼着部材43とを備え、上端は前方から後方に向かって下方に傾斜した傾斜面3Aで構成されている。開閉ファスナ41は、収納部材３の傾斜面3Aに設けられ、長さ方向に収納部材３を開閉する構成となっている。この開閉ファスナ41は、ケース本体２に当接しない収納部材３の外側に設けてもよいことはもちろんである。収納部材３の内面に挿通壁42を設けたことにより、挿通壁42に補強部材15を挿通し補強部材15を支持部材16に連結することによって、収納部材３をケース本体２に固定することができると共に、補強部材15を収納部材３の内側へ隠すことができるので、美観を向上することができる。挿通壁42を含めた収納部材３の内面には、前記貼着部材43が設けられており、この貼着部材43は、例えばベルベットクロス式ファスナが好適に用いられる。収納部材３の内面に貼着部材43を設けたことにより、収納部材３をケース本体２に着脱可能とすることができるので、ケース本体２を座席５に固定しない場合、すなわち、ケース本体２を持ち運ぶ際にも、収納部材３をケース本体２に保持し、ケース本体２と共に使用することができる。
【００２７】
また、ケース本体２には、図５に示すように後部ポケット45と、側部ポケット46とが設けられている。後部ポケット45は、後側面部９の表面に設けられ、内部が視認できるメッシュ状の部材で構成されている。側部ポケット46は、右側面部10及び左側面部11の外面に設けられた矩形のポケットで、上端に側部ファスナ47が設けられている。尚、前記収納部材３の上端が傾斜面3Aで構成されていることにより、収納部材３を本体ケースに取り付けた状態であっても、側部ファスナ47を開閉することができる。
【００２８】
次に上記構成の作用について説明する。ケース本体２は支持部材16によりチャイルドシート固定部材17に連結されて座席５に設置されている。この状態で、急ブレーキなどによりケース本体２に前方向への負荷が生じた場合について説明する。ケース本体２に前方向の負荷が生じると、同じ大きさの反力がチャイルドシート固定部材17に固定されている支持部材16に生じる。支持部材16に生じた反力は、連結部18を介して補強部材15へ伝達される。補強部材15は前側面部８の上側及び下側にそれぞれ掛け回されていることにより、前方向へ負荷が生じたケース本体２を確実に保持することができる。また、連結部18及び連結受部27は、ケース本体２の左側面部10及び右側面部11に設けられたループ部材14内に挿入されていることにより、連結部18及び連結受部27をケース本体２の後方下部に固定し、ケース本体２の後部が浮き上がることを防止できる。さらに、ループ部材14の下面にはベルベットクロス式のファスナが設けられていることにより、座席５へより密着させることができ、ケース本体２の安定性を向上できる。
【００２９】
次に上記実施例の変形例について図６を参照して説明する。尚、上記した構成と同様の構成については同様の符号を付し、簡単のため説明を省略する。図に示す連結部18は、ケース本体２の右側面部10及び左側面部11の下方に設けられている。この連結部18は、矩形の紐状部材50の先端に設けられており、紐状部材50の基端はケース本体２の右側面部10及び左側面部11に縫着されている。このように構成されたケース本体２に前方向の負荷が生じるとチャイルドシート固定部材17に連結された支持部材16に反力が生じる。その反力は連結部18に伝達される。ここで、連結部18は紐状部材50の先端に設けられ、紐状部材50の基端がケース本体２の右側面部10及び左側面部11に縫着されていることにより、支持部材16に生じた反力がケース本体２の後方下部に作用する。したがって、ケース本体２の前方に掛け回された補強部材15に反力が直接作用することがない。そうすると、ケース本体２は、急ブレーキなどによる前方向の負荷と、支持部材16に生じた反力によって前後方向に圧縮されることがないので、ケース本体２の変形を防止することができる。また、本構成においては、支持部材16に生じた反力が紐状部材50の基端に集中することとなるので、適宜補強されるのが好ましい。
【００３０】
次に本発明の第２実施例について図７、図８を参照して説明する。尚、上記した構成と同様の構成については同様の符号を付し、簡単のため説明を省略する。図７に示すケース本体２の前側面部８には補強部材51が一体的に設けられている。補強部材51は、前側面部８の上側に一体化されたベルトで構成されている。補強部材51には、両端に連結部18が設けられており、内面に長さ方向に補強ファスナ52が形成されている。補強ファスナ52は、ケース本体２の右側面部10及び左側面部11の前方上側から後方下側に向かって延び、補強部材51をケース本体２に一体化する。また、ケース本体２の右側面部10及び左側面部11には、側部ポケット46と、収納部53が一体的に設けられている。前記補強ファスナ52は、収納部53の開口に設けられており、補強ファスナ52を閉じた状態でも収納部53が開口している状態に構成されている。また、ケース本体２の右側面部10及び左側面部11には、補強ファスナ52の端部近傍にループ部材54が設けられている。
【００３１】
図８に示すように、補強部材51が右側面部10及び左側面部11に補強ファスナ52で一体化されることにより、補強部材51の位置ずれを防止し、ケース本体２を確実に保持することができる。また、補強ファスナ52がケース本体２の左側面部10及び右側面部11の後方下側に向かって形成され、かつ、ループ部材54を設けたことにより、連結部18を後方下側で支持部材16に連結することができるので、ケース本体２の浮き上がりを防止し、より安定的に保持することができる。
【００３２】
上記のように本実施形態においては、車両の座席５に設置されたチャイルドシート固定部材17に、小動物又は物品を収容する車載ケース１を連結して保持する車載ケース保持装置４において、前記チャイルドシート固定部材17と前記車載ケース１とに着脱自在の支持部材16により、前記チャイルドシート固定部材17と前記車載ケース１とを連結して前記車載ケース１を保持することとしたから、車載ケース１側で着脱ができるため、車載ケース１を容易に着脱できる。また、支持部材16は車載ケース１に対し着脱できるため、車載ケース１を持ち運ぶ際、支持部材16を取り外しておくことによって、美観を向上することができる。
【００３３】
また、前記支持部材16は柔軟性を有する帯状体36で構成され、前記帯状体36の一端に前記車載ケース１と連結する連結受部27を備え、他端に前記固定部材に締結する締結部材28を備えることとしたから、支持部材16は柔軟性を有する帯状体で構成されていることにより、チャイルドシート固定部材17に支持部材16を締結した状態でも支持部材16を脇へ除けておくことができるので、違和感なく乗員が着座することができる。
【００３４】
また、前記支持部材16は一端に前記車載ケース１と連結する連結受部27を備え、前記車載ケース１は外周を覆う補強部材15を有し、前記補強部材15は前記支持部材16に設けられた前記連結受部27と連結する連結部18を備えることとしたから、補強部材15で車載ケース１の外周を覆うのでより確実に車載ケース１を保持することができる。
【００３５】
また、前記車載ケース１は、底面部６と側面部７とが平面状に展開可能に構成され、前記底面部６の少なくとも一方に複数の側面部７を一体的に設けることとしたから、車載ケース１が展開可能に構成されていることにより成形が容易となると共に、底面部６の少なくとも一方に複数の側面部７を設けることとしたことにより、剛性を向上でき形状を安定的に保持することができる。
【００３６】
また、前記支持部材16は、前記車載ケース１と連結する連結受部27を備え、前記連結受部27と連結する連結部18を前記車載ケース１に設けることとしたから、急ブレーキなどによる前方向の負荷と、支持部材16に生じた反力によって車載ケース１が前後方向に圧縮されることがないので、ケース本体２の変形を防止することができる。
【００３７】
また、補強部材15は、前側面部８の上側に一体化され、両端に連結部18が設けられており、内面に長さ方向に補強ファスナ52が形成されていることにより、補強部材15が右側面部10及び左側面部11に補強ファスナ52で一体化され、補強部材15の位置ずれを防止することができる。また、補強ファスナ52がケース本体２の左側面部10及び右側面部11の後方下側に向かって形成され、かつ、ループ部材14を設けたことにより、連結部18を後方下側で支持部材16に連結することができるので、ケース本体２の浮き上がりを防止し、より安定的に保持することができる。
【００３８】
本発明は、本実施形態に限定されるものではなく、本発明の要旨の範囲内で種々の変形実施が可能である。
【図面の簡単な説明】
【００３９】
【図１】本発明の第１実施例に係る車載ケース保持装置の構成を示す全体斜視図である。
【図２】同上、ケース本体の展開図である。
【図３】同上、支持部材の構成を示す斜視図である。
【図４】同上、収納部の構成を示す斜視図である。
【図５】同上、ケース本体の構成を示す斜視図である。
【図６】同上、車載ケース保持装置の変形例を示す図である。
【図７】本発明の第２実施例を示す斜視図であり、組立て前の状態を示す図である。
【図８】同上、組立後の状態を示す図である。
【符号の説明】
【００４０】
１    車載ケース
４    車載ケース保持装置
５    座席
15    補強部材
16    支持部材
17    チャイルドシート固定部材
18    連結部
【図１】
2006333753.tif 000003
【図２】
2006333753.tif 000004
【図３】
2006333753.tif 000005
【図４】
2006333753.tif 000006
【図５】
2006333753.tif 000007
【図６】
2006333753.tif 000008
【図７】
2006333753.tif 000009
【図８】
2006333753.tif 000010